(57)【要約】【課題】簡単な構造でＦＦＣの導体ピッチを接続コネクタの端子収容室のピッチに変換し、ＦＦＣをピッチの異なるコネクタに配索方向を変えずに容易に接続できる。【解決手段】ＦＦＣの導体ピッチと相違するピッチで端子収容室を並設しているコネクタと接続する該ＦＦＣの端末側にピッチ変換シートの一端を接続しており、前記ピッチ変換シートは、前記ＦＦＣと同数の導体を並列配置すると共に絶縁樹脂フィルムで表裏両面を被覆したＦＦＣまたはＦＰＣからなり、該ピッチ変換シートの導体の長さ方向の一端側は前記ＦＦＣの導体と同一のピッチで配列した第１ストレート部とすると共に、他端側は前記コネクタの端子収容室のピッチと同一ピッチで配列した第２ストレート部とし、これら両側の第１、第２ストレート部の間を傾斜部で連続している。【選択図】図１
2011243523.tif 000002
【特許請求の範囲】
【請求項１】
複数の導体を一定ピッチをあけて平行配線すると共に、該複数の導体の表裏両面を絶縁樹脂フィルムで被覆しているフレキシブルフラットケーブル（ＦＦＣ）であって、
前記ＦＦＣの導体ピッチと相違するピッチで端子収容室を並設しているコネクタと接続する該ＦＦＣの端末側にピッチ変換シートの一端を接続しており、
前記ピッチ変換シートは、前記ＦＦＣと同数の導体を並列配置すると共に絶縁樹脂フィルムで表裏両面を被覆したＦＦＣまたはＦＰＣからなり、該ピッチ変換シートの導体の長さ方向の一端側は前記ＦＦＣの導体と同一のピッチで配列した第１ストレート部とすると共に、他端側は前記コネクタの端子収容室のピッチと同一ピッチで配列した第２ストレート部とし、これら両側の第１、第２ストレート部の間を傾斜部で連続していることを特徴とする車載用フレキシブルフラットケーブル。
【請求項２】
前記ピッチ変換シートの前記第１ストレート部の導体と前記ＦＦＣの導体とは、前記絶縁樹脂フィルムを剥離して露出させた導体同士を溶着し、またはコ字形状の端子の両側部を突き刺し固定して、電気接続している請求項１に記載の車載用フレキシブルフラットケーブル。
【発明の詳細な説明】
【技術分野】
【０００１】
本発明は車載用フレキシブルフラットケーブル（ＦＦＣ）に関し、詳しくは、ＦＦＣの導体ピッチと相違するピッチで端子収容室が並設されているコネクタに、ＦＦＣを簡単な構造で接続するものである。
【背景技術】
【０００２】
従来、複数の導体を一定のピッチで平行配線していると共に、該複数の導体を絶縁樹脂フィルムで被覆しているフレキシブルフラットケーブル（以下、ＦＦＣという）が自動車の配線材として用いられている。ＦＦＣの端末に接続するコネクタに並設する端子収容室のピッチは、該コネクタと接続する相手方コネクタの端子ピッチに合わせる必要があることからＦＦＣの導体ピッチと相違する場合が多く、その場合にはＦＦＣの導体ピッチを接続コネクタの端子収容室のピッチに変換する必要がある。そこで、特開２００８−１４６９４４号公報（特許文献１）では、図６に示すように、ＦＦＣ１に平行配線される導体２ａ〜２ｊの間の絶縁被覆部３ｂ〜３ｊに所要長さの切れ目を入れて帯状の導体２ａ〜２ｊをそれぞれ分離し、各導体２ａ〜２ｊを同一方向に折り曲げることにより、ＦＦＣ１の各導体２ａ〜２ｊのピッチを所要ピッチに変換できることが示されている。
【先行技術文献】
【特許文献】
【０００３】
【特許文献１】特開２００８−１４６９４４号公報
【発明の概要】
【発明が解決しようとする課題】
【０００４】
前記構成によれば、ＦＦＣ１に接続するコネクタの構造を変えることなく、ＦＦＣ１の各導体２ａ〜２ｊのピッチをコネクタの端子収容室のピッチに変換することが可能となる。しかし、導体２ａ〜２ｊ間の狭幅の絶縁被覆部３ｂ〜３ｊに長さの異なる切り込みを１本ずつ入れて分離した導体２ａ〜２ｊを折り曲げていかなければならず作業性が良くないと共に、ＦＦＣ１の配索方向を変えないと前記コネクタに接続できないという問題がある。
【０００５】
本発明は、簡単な構造でＦＦＣの導体ピッチを該ＦＦＣに接続するコネクタの端子収容室のピッチに変換して、ＦＦＣをピッチの異なるコネクタに配索方向を変えずに容易に接続できることを課題としている。
【課題を解決するための手段】
【０００６】
前記課題を解決するため、本発明は、複数の導体を一定ピッチをあけて平行配線すると共に、該複数の導体の表裏両面を絶縁樹脂フィルムで被覆しているフレキシブルフラットケーブル（ＦＦＣ）であって、
前記ＦＦＣの導体ピッチと相違するピッチで端子収容室を並設しているコネクタと接続する該ＦＦＣの端末側にピッチ変換シートの一端を接続しており、
前記ピッチ変換シートは、前記ＦＦＣと同数の導体を並列配置すると共に絶縁樹脂フィルムで表裏両面を被覆したＦＦＣまたはＦＰＣからなり、該ピッチ変換シートの導体の長さ方向の一端側は前記ＦＦＣの導体と同一のピッチで配列した第１ストレート部とすると共に、他端側は前記コネクタの端子収容室のピッチと同一ピッチで配列した第２ストレート部とし、これら両側の第１、第２ストレート部の間を傾斜部で連続していることを特徴とする車載用フレキシブルフラットケーブルを提供している。
【０００７】
前記のように本発明では、ＦＦＣの導体ピッチと相違するピッチで端子収容室を並設したコネクタと接続するＦＦＣの端末側に、該ＦＦＣと同数の導体を並列配置したＦＦＣまたはＦＰＣ（フレキシブルプリント基板）からなるピッチ変換シートの一端を接続してピッチ差を吸収させている。前記ピッチ変換シートの導体は、前記のように、ＦＦＣの導体と同一ピッチで配列した第１ストレート部と、該ＦＦＣに接続するコネクタの端子収容室のピッチと同一ピッチで配列した第２ストレート部と、該第１、第２ストレート部を連続させる傾斜部とからなるため、前記コネクタと接続するＦＦＣの端末にピッチ変換シートの第１ストレート部を接続するだけで、ＦＦＣの配索方向を変えることなく、ＦＦＣの導体ピッチを第２ストレート部のピッチ、即ち、接続コネクタの端子収容室のピッチに変換することができる。
【０００８】
即ち、前記構成によれば、ＦＦＣに接続するコネクタの構造を変えることなく、またＦＦＣの各導体間に切り込みを入れて折り曲げたりすることなく、簡単な構造でＦＦＣの導体ピッチを接続コネクタの端子収容室のピッチに変換することができるため、ＦＦＣの配索方向を変えることなく、導体ピッチと異なるピッチで端子収容室が並設されたコネクタにＦＦＣを容易に接続することが可能となる。
【０００９】
前記ＦＦＣの導体と、前記第１、第２ストレート部および傾斜部からなるピッチ変換シートの導体は、ともに同幅の銅箔から形成することが好ましいが、導体幅を相違させていてもよい。前記ピッチ変換シートの第１ストレート部は少なくともＦＦＣ端末側の導体と接続できる長さがあればよく、第２ストレート部は少なくともコネクタの端子収容室に挿入される端子を接続できる長さがあればよいため、ピッチ変換シートのサイズは必要に応じて小型化することができる。小型のピッチ変換シートでも導体のピッチ変換が行えるため、狭い車両空間内での配索に好適に用いることができる。
【００１０】
前記ピッチ変換シートの第１ストレート部の導体と前記ＦＦＣの導体とは、前記絶縁樹脂フィルムを剥離して露出させた導体同士を溶着し、またはコ字形状の端子の両側部を突き刺し固定して、電気接続していることが好ましい。
また、前記ピッチ変換シートの第２ストレート部も絶縁樹脂フィルムを剥離して導体を露出させ、コネクタの端子収容室に挿入される端子を通常のＦＦＣと同様に溶着や加締め等によって接続していることが好ましい。
【発明の効果】
【００１１】
前述したように、本発明によれば、ＦＦＣの導体ピッチと相違するピッチで端子収容室を並設したコネクタと接続するＦＦＣの端末側に、該ＦＦＣと同数の導体を並列配置したＦＦＣまたはＦＰＣからなるピッチ変換シートの一端を接続する構成としている。前記ピッチ変換シートの導体は、ＦＦＣの導体と同一ピッチで配列した第１ストレート部と、接続コネクタの端子収容室のピッチと同一ピッチで配列した第２ストレート部と、該第１、第２ストレート部を連続させる傾斜部とからなるため、前記コネクタと接続するＦＦＣの端末に前記ピッチ変換シートの第１ストレート部を接続するだけで、ＦＦＣの配索方向を変えることなく、ＦＦＣの導体ピッチを接続コネクタの端子収容室のピッチに変換することができる。よって、ＦＦＣに接続するコネクタの構造を変えたりＦＦＣの各導体間に切り込みを入れて折り曲げたりすることなく、ＦＦＣをピッチの異なるコネクタに配索方向を変えずに容易に接続することができる。
【図面の簡単な説明】
【００１２】
【図１】本実施形態の車載用フレキシブルフラットケーブル（ＦＦＣ）を示し、（Ａ）は端末に接続するピッチ変換シートおよびコネクタを含む車載用フレキシブルフラットケーブルの概略平面図、（Ｂ）はＡ−Ａ線断面図である。
【図２】ピッチ変換シートの第１、第２ストレート部およびＦＦＣの端末の導体を被覆する絶縁樹脂フィルムを一部剥離した状態を示し、（Ａ）は概略平面図、（Ｂ）はＢ−Ｂ線断面図、（Ｃ）はＣ−Ｃ線断面図である。
【図３】ピッチ変換シートの第１ストレート部をＦＦＣの端末の導体に接続し、コネクタの端子収容室に挿入する端子をピッチ変換シートの第２ストレート部に接続した状態を示し、（Ａ）は概略平面図、（Ｂ）はＤ−Ｄ線断面図である。
【図４】図３のＦＦＣをコネクタに接続した状態を示す概略平面図である。
【図５】ピッチ変換シートの第１ストレート部とＦＦＣの端末の導体との別の接続構造を示す図である。
【図６】従来例を示す図である。
【発明を実施するための形態】
【００１３】
以下、本発明の実施形態を図面を参照して説明する。
図１乃至図５は本発明の実施形態を示している。本実施形態の車載用フレキシブルフラットケーブル（以下、ＦＦＣという）１０は、図１に示すように、複数（本実施形態では３本）の銅箔からなる導体１１を一定ピッチＰ１をあけて平行配線していると共に、該複数の導体１１の表裏両面を絶縁樹脂フィルム１２で被覆している。一方、ＦＦＣ１０の端末側に接続するコネクタ２０には、ＦＦＣ１０の導体ピッチＰ１より大きなピッチＰ２で複数（本実施形態では３個）の端子収容室２１を並設しており、本実施形態では、コネクタ２０と接続するＦＦＣ１０の端末側にピッチ変換シート１３を接続することにより、ＦＦＣ１０の導体ピッチＰ１をコネクタ２０の端子収容室２１のピッチＰ２に変換している。
【００１４】
ピッチ変換シート１３は、ＦＦＣ１０の導体１１と同幅、同数の銅箔からなる導体１４を並列配置し、該導体１４の表裏両面を絶縁樹脂フィルム１８で被覆したＦＦＣから形成している。ピッチ変換シート１３の導体１４は、ＦＦＣ１０の導体ピッチＰ１と同一ピッチで配列した長さ方向一端側の第１ストレート部１５と、コネクタ２０の端子収容室２１のピッチＰ２と同一ピッチで配列した長さ方向他端側の第２ストレート部１６と、第１ストレート部１５と第２ストレート部１６との間を連続する傾斜部１７とからなり、並列配置した前記第１、第２ストレート部１５、１６および傾斜部１７からなる導体１４の表裏両面を絶縁樹脂フィルム１８で被覆、ラミネートした後、不要なラミネート部分１８ａ、１８ｂをカットすることにより、扇形状のピッチ変換シート１３を形成している。
【００１５】
ピッチ変換シート１３の第１ストレート部１５をＦＦＣ１０端末の導体１１に接続するために、図２のように、第１ストレート部１５を被覆する絶縁樹脂フィルム１８とＦＦＣ１０端末の導体１１を被覆する絶縁樹脂フィルム１２の所要部分を剥離し、剥離によって露出させた第１ストレート部１５とＦＦＣ１０端末の導体１１を溶着により電気接続している（図３）。
【００１６】
また、ピッチ変換シート１３の第２ストレート部１６にコネクタ２０の端子収容室２１に挿入する端子２２を接続するため、図２のように、第２ストレート部１６を被覆する絶縁樹脂フィルム１８の所要部分を剥離し、剥離によって露出させた第２ストレート部１６に端子２２を溶着により接続している（図３）。
【００１７】
ピッチ変換シート１３の第２ストレート部１６に接続した端子２２をコネクタ２０の端子収容室２１に挿入係止することで、ピッチ変換シート１３を端末側に接続したＦＦＣ１０とコネクタ２０との接続が完了する（図４）。
【００１８】
前記のように、本実施形態では、ＦＦＣ１０の導体ピッチＰ１と相違するピッチＰ２で端子収容室２１を並設したコネクタ２０と接続するＦＦＣ１０の端末側に、ＦＦＣ１０と同数の導体１４を並列配置したＦＦＣからなるピッチ変換シート１３の一端を接続している。ピッチ変換シート１３の導体１４は、ＦＦＣ１０の導体ピッチと同一のピッチＰ１で配列した第１ストレート部１５と、コネクタ２０の端子収容室２１のピッチと同一ピッチＰ２で配列した第２ストレート部１６と、該第１、第２ストレート部１５、１６を連続させる傾斜部１７とからなるため、コネクタ２０と接続するＦＦＣ１０の端末にピッチ変換シート１３の第１ストレート部１５を接続するだけで、ＦＦＣ１０の配索方向を変えることなく、ＦＦＣ１０の導体ピッチＰ１を第２ストレート部１６のピッチ、即ちコネクタ２０の端子収容室２１のピッチＰ２に変換することができる。よって、ＦＦＣ１０に接続するコネクタ２０の構造を変えたりＦＦＣ１０の各導体間に切り込みを入れて折り曲げたりすることなく、導体ピッチＰ１と異なるピッチＰ２で端子収容室２１が並設されたコネクタ２０にＦＦＣ１０を配索方向を変えずに容易に接続することが可能となる。
【００１９】
なお、本実施形態ではピッチ変換シート１３をＦＦＣから形成しているが、印刷配線が施されたＦＰＣから形成していてもよい。また、ピッチ変換シート１３の第１ストレート部１５をＦＦＣ１０端末の導体１１に接続する構造として、図５に示すように、コ字形状の端子２３をピッチ変換シート１３の第１ストレート部１５側端末とＦＦＣ１０端末の両側に突き刺し固定して電気接続してもよい。
【符号の説明】
【００２０】
１０  車載用フレキシブルフラットケーブル（ＦＦＣ）
１１  導体
１２  絶縁樹脂フィルム
１３  ピッチ変換シート
１４  導体
１５  第１ストレート部
１６  第２ストレート部
１７  傾斜部
１８  絶縁樹脂フィルム
２０  コネクタ
２１  端子収容室
２２  端子
２３  コ字形状の端子
【図１】
2011243523.tif 000003
【図２】
2011243523.tif 000004
【図３】
2011243523.tif 000005
【図４】
2011243523.tif 000006
【図５】
2011243523.tif 000007
【図６】
2011243523.tif 000008